(57)【要約】【課題】受付端末を介して記録媒体への書き込み処理を依頼する画像データに関して、写真店側に画像を見られないようにできる写真処理システムを提供する。【解決手段】ＣＤ−Ｒへの書き込み処理を依頼するために、画像データの入力を受け付け可能な受付端末１と、この受付端末１と通信手段により接続され、受け付けられた画像データをモニターに表示させると共に、画像データのＣＤ−Ｒへの書き込み処理を行わせることが可能な写真処理装置２と、を備えた写真処理システムであって、受付端末１は、入力された画像データを表示する画像表示部１ａと、画像表示部１ａに表示される画像に対して、写真処理装置２のモニター２ａに表示させるか否かを設定する表示可否設定部１３と、を備えている。【選択図】図２
2007329799.tif 000002
【特許請求の範囲】
【請求項１】
記録媒体への書き込み処理を依頼するために、画像データの入力を受け付け可能な受付端末と、
この受付端末と通信手段により接続され、受け付けられた前記画像データをモニターに表示させると共に、画像データの記録媒体への書き込み処理を行わせることが可能な写真処理装置と、を備えた写真処理システムであって、
前記受付端末は、
入力された画像データを表示する画像表示部と、
画像表示部に表示される画像に対して、写真処理装置のモニターに表示させるか否かを設定する表示可否設定部と、を備えていることを特徴とする写真処理システム。
【請求項２】
表示可否設定部により表示禁止の設定を行った場合、写真処理装置による写真プリントの作成を禁止するプリント作成禁止部を備えていることを特徴とする請求項１に記載の写真処理システム。
【請求項３】
前記写真処理装置は、表示可否設定部により表示禁止に設定された画像データを前記モニターに表示禁止するか、又は、他のダミー画像データに置換する画像表示設定部を備えていることを特徴とする請求項１又は２に記載の写真処理システム。
【請求項４】
前記受付端末は、作成された記録媒体に記録された画像データを閲覧する時に要求されるパスワードを設定するパスワード設定部を備えていることを特徴とする請求項１〜３のいずれか１項に記載の写真処理システム。
【請求項５】
記録媒体の表面に記録される画像データのサムネイル画像を印刷するためのサムネイル画像データ作成部を備えており、表示可否設定部により表示禁止を設定された画像データについては、サムネイル画像データの作成をおこなわないことを特徴とする請求項１〜４のいずれか１項に記載の写真処理システム。
【発明の詳細な説明】
【技術分野】
【０００１】
本発明は、記録媒体への書き込み処理を依頼するために、画像データの入力を受け付け可能な受付端末と、この受付端末と通信手段により接続され、受け付けられた前記画像データをモニターに表示させると共に、画像データの記録媒体への書き込み処理を行わせることが可能な写真処理装置と、を備えた写真処理システムに関するものである。
【背景技術】
【０００２】
近年のデジタルカメラの普及に伴い、デジタルカメラの記録媒体に格納された画像データに基づいて、写真プリントの作成を依頼するだけではなく、ＣＤ−Ｒ等の別の記録媒体へ画像データを書き込む依頼も増えてきている（書き込み装置については、下記特許文献１を参照）。そこで、写真店においては、店頭に受付端末を設置し、顧客が受付端末を操作して画像データの入力及び受け付けを行い、受け付け操作が完了すると、画像データは通信手段を介して写真処理装置へ転送される。
【０００３】
写真処理装置にはモニターが設けられており、受け付けられた画像データは、画面上に表示される。記録媒体へ画像データを書き込む場合であっても、写真処理装置のオペレータによる画像のチェックを行う必要性があるため、一旦モニターに画像の表示を行うようにしている。これは、色・濃度が適正か否かのチェックや画像の姿勢（天地逆になっていないか等）のチェックを行なうためであり、かかるチェックを行った後に、必要に応じてオペレータによる補正処理が行われる。この作業が終わった後に、画像データを記録媒体への書き込み装置に転送しＣＤ−Ｒ等への書き込み処理が行われる。
【０００４】
【特許文献１】特開２００２−３３４５５２号公報
【発明の開示】
【発明が解決しようとする課題】
【０００５】
顧客が受付端末を通じて記録媒体への書き込み処理を依頼する場合に、入力した画像データは、写真処理装置のモニターに映し出されるように構成されているため、写真店のオペレータにより注文に係る画像が見られてしまうことになる。画像の中には、見られてもかまわない画像だけではなく、オペレータには見られたくないような画像が含まれていることがある。例えば、恋人と一緒に映っている写真のように、当事者間のみで楽しむ画像や、社外秘の情報が映されている画像など、第三者には見られたくない画像が存在する。
【０００６】
本発明は上記実情に鑑みてなされたものであり、その課題は、受付端末を介して記録媒体への書き込み処理を依頼する画像データに関して、写真店側に画像を見られないようにできる写真処理システムを提供することである。
【課題を解決するための手段】
【０００７】
上記課題を解決するため本発明に係る写真処理システムは、
記録媒体への書き込み処理を依頼するために、画像データの入力を受け付け可能な受付端末と、
この受付端末と通信手段により接続され、受け付けられた前記画像データをモニターに表示させると共に、画像データの記録媒体への書き込み処理を行わせることが可能な写真処理装置と、を備えた写真処理システムであって、
前記受付端末は、
入力された画像データを表示する画像表示部と、
画像表示部に表示される画像に対して、写真処理装置のモニターに表示させるか否かを設定する表示可否設定部と、を備えていることを特徴とするものである。
【０００８】
この構成による写真処理システムの作用・効果を説明する。このシステムは、受付端末と写真処理装置とが通信手段により接続されて構成される。ただし、接続される受付端末や写真処理装置の台数は任意に設定することができる。受付端末により入力・受け付けされた画像データは、通信手段を介して写真処理装置に転送され、記録媒体への書き込み処理が行われる。また、写真処理装置にはモニターが設けられており、画像データをモニターに映し出すことができる。一方、受付端末にも入力された画像データを表示させるための画像表示部が設けられ、受付端末を操作する顧客は、この画像表示部を見ながら注文に係る画像の選択などの操作を行なうことができる。また、受付端末には、表示可否設定部が設けられており、写真処理装置側のモニターへの画像の表示可否を設定することができる。従って、表示禁止を設定した場合は、その画像は写真処理装置のモニターに表示されないようにすることができる。表示可否設定部による表示可否の設定は、画像の１枚単位で行えるようにしてもよいし、１オーダー分を一括で禁止できるようにしてもよく、設定態様については特定の態様に限定されるものではない。以上の通り、受付端末を介して記録媒体への書き込み処理を依頼する画像データに関して、写真店側に画像を見られないようにできる写真処理システムを提供することができる。
【０００９】
本発明において、表示可否設定部により表示禁止の設定を行った場合、写真処理装置による写真プリントの作成を禁止するプリント作成禁止部を備えていることが好ましい。
【００１０】
画像の表示禁止の設定を行なった場合、写真処理装置による写真プリントの作成が禁止される。これにより、写真処理装置のモニターで見られない画像に関して、写真プリントの作成により見られることを防止することができる。
【００１１】
本発明に係る写真処理装置は、表示可否設定部により表示禁止に設定された画像データを前記モニターに表示禁止するか、又は、他のダミー画像データに置換する画像表示設定部を備えていることが好ましい。
【００１２】
表示禁止の設定をされた画像に関しては、写真処理装置のモニターへの表示が禁止されるか、他のダミー画像データに置換して表示させる。
【００１３】
表示を禁止する場合、モニターへ全く表示させない方法もあるし、ダミー画像データに置換して表示させる方法がある。ダミー画像データとしては、特定色のみの画像、予め用意した適当な画像などがあり、かかる場合には、表示禁止に設定された画像が存在することをオペレータに認識させることができる。表示禁止に設定されていない画像については、オペレータによるチェック作業を行うことができる。
【００１４】
本発明において、前記受付端末は、作成された記録媒体に記録された画像データを閲覧する時に要求されるパスワードを設定するパスワード設定部を備えていることが好ましい。
【００１５】
受付端末を操作する顧客は、パスワード設定部の機能を利用してパスワードを設定することができる。これにより、記録媒体の記録されている画像データを閲覧しようとする時には、パスワードの入力が要求され、パスワードを入力しなければ記録されている画像を見ることができない。これにより、写真店のオペレータによる検品作業時に、記録媒体に記録されている画像を見られることを防止することができる。
【００１６】
本発明において、記録媒体の表面に記録される画像データのサムネイル画像を印刷するためのサムネイル画像データ作成部を備えており、表示可否設定部により表示禁止を設定された画像データについては、サムネイル画像データの作成をおこなわないことが好ましい。
【００１７】
この構成によると、画像データの書き込み処理がされた記録媒体の表面には、記録されている画像データのサムネイル画像が印刷される。サムネイル画像を印刷することで、中にどのような画像データが記録されているのかを認識することができて便利である。ただし、サムネイル画像により表示禁止の設定をされた画像を写真店のオペレータに見られてしまうことになるので、表示禁止の設定がされた画像データについては、サムネイル画像データを作成しないようにし、記録媒体の表面に印刷しないようにすることができる。これにより、サムネイル画像により写真店側に画像を見られることを防止することができる。
【発明を実施するための最良の形態】
【００１８】
本発明に係る写真処理システムの好適な実施形態を図面を用いて説明する。図１は、写真処理システムの全体構成を示す概念図である。この写真処理システムは、写真店などに設置されるものである。
【００１９】
受付端末１は、写真店を訪問する顧客によって操作される装置であり、画像表示部１ａ（モニター）と記録媒体装着部１ｂを備えている。顧客は、デジタルカメラにより撮影した写真画像が格納された記録媒体を持参し、記録媒体装着部１ｂに装着することで、記録媒体に記録されている画像データが読み出され、画像表示部１ａに表示される。記録媒体については、例えば、コンパクトフラッシュ（登録商標）、ＳＤカード、メモリースティックなどがあるが、特定の種類の媒体に限定されるものではない。注文操作を行なう場合には、画像表示部１ａに表示される箇所をタッチすることで行なうことができる。受付端末１により可能な注文は、写真プリントの作成、記録媒体への書き込み、などがあるが、本発明においては、記録媒体（ＣＤ−Ｒ、ＤＶＤ−Ｒなど）への書き込み処理を中心に説明する。本実施形態において、記録媒体としては、ＣＤ−Ｒに書き込むものとして説明する。ただし、本発明としては、書き込み処理を行なう記録媒体については、特定の種類に限定されるものではない。
【００２０】
写真処理装置２は、受付端末１を介して入力された画像データを用いて、写真プリントの作成やＣＤ−Ｒへの書き込み処理を行う機能を有する。ＣＤ−Ｒへ書き込むための装置は、写真処理装置２が内蔵していてもよいが、写真処理装置２とは別に設けられていてもよい。写真処理装置２は、モニター２ａを備えており、受付端末１を介して入力された画像データが表示される。従って、オペレータは、受付端末１を介して注文された画像をこのモニター２ａにより確認することができる。なお、写真処理装置２は、現像済み写真フィルムに形成されているコマ画像をデジタルデータ化して、写真プリントを作成する機能も有している。写真フィルムのコマ画像を読み取るためのフィルムスキャナーは、写真処理装置２本体に対して装着される。
【００２１】
受付端末１と写真処理装置２は、ＬＡＮなどのネットワーク通信手段により接続されている。ＬＡＮに接続される受付端末１や写真処理装置２の台数は、特定の数値に限定されるものではなく、写真処理作業の効率を考慮して適宜の台数に設定することができる。通信手段の形態は、特定の形態に限定されるものではなく、また有線・無線などについても限定されるものではない。ＣＤ−Ｒ書き込み装置を写真処理装置２と別に設ける場合は、単独でＬＡＮに接続することができる。
【００２２】
＜システムの機能構成＞
次に、図１に示す写真処理システムの機能を図２のブロック図により説明する。まず受付端末１の構成を説明する。画像データ保存部１０は、記録媒体に記録されている画像データが読み出された後、一時的に保存される。読み出された画像データは、画像表示部１ａに表示される。図３は、画像表示部１ａにおける表示態様の一例を示す図である。画像表示部１ａは、液晶画面やＣＲＴなどにより構成することができる。
【００２３】
図３に示すように、記録媒体から取り込んだ画像データは、６枚ずつ画像表示部１ａに表示される。ただし、１画面に表示できる画像枚数については、これに限定されるものではない。取り込んだ画像データは、サムネイル画像４０として表示される。各画像の下に枚数表示部４１が設けられており、ＣＤ−Ｒに書き込むべき枚数が表示される。デフォルトとして０枚が表示されるようになっており、設定ボタン４２を操作することで、枚数を増減することができる。書き込む場合は、通常は１枚を設定する。全画像について一括で設定するときは、一括設定ボタン４３により設定することができる。これらの設定は、オーダーデータ設定部１２の機能に基づくものである。オーダーデータとしては、各画像についての書き込み枚数設定の他に、書き込む時の画像ファイルの種類の設定、オーダーを特定するための識別情報の設定などがある。また、図示はしないが各画像について、色・濃度の補正を行う機能を設ける場合は、その補正パラメータもオーダーデータに含まれる。
【００２４】
表示可否設定部１３は、受付端末１により入力した画像データを写真処理装置２のモニター２ａに表示させるか否かを設定する機能を提供する。そのために、図３に示すように各画像の位置に表示禁止設定ボタン４４が設けられており、これをクリックすることで、表示禁止状態に設定される。表示禁止に設定された画像は、画面上で識別しやすくするために、太い枠で囲むなどの処理を行うことが好ましい。一度、表示禁止に設定した画像については、再度ボタン４４をクリックすることで、元の状態に復帰させることができる。このように、顧客が写真店のオペレータに見られたくない画像に関しては、表示禁止の設定を行なうことで、写真処理装置２のモニター２ａに表示されないようにすることができる。表示禁止の設定は、画像の１枚ごとに行なうことが可能であるが、一括設定ボタン４５を操作することで全画像について一度に表示禁止、あるいは、表示禁止の解除を行うことができる。なお、本実施形態においては、６枚の画像のうち、下段真ん中の４０Ａで示される画像が表示禁止に設定されるものとする。
【００２５】
パスワード設定部１４は、受付端末１においてパスワードの設定を行うための機能を提供する。パスワードは、例えば、４桁の数字及び文字の組み合わせにより入力することができる。このパスワードを設定すると、ＣＤ−Ｒに記録された画像データの閲覧をしようとするときに、パスワードの入力が要求されるようにすることができる。これにより、ＣＤ−Ｒの検品を写真店のオペレータが行う時に、表示禁止に設定された画像を見られないようにすることができる。従って、パスワードの設定を行った場合には、ＣＤ−Ｒの検品は写真店側では行わず、顧客自身が行なうことになる。なお、パスワードの設定は必ずしも行わなくてもよい。
【００２６】
オーダーデータの設定、表示可否の設定、パスワードの設定については、画像データと共にオーダーデータ保存部１１に保存される。受付端末１により受け付けた注文は、オーダー単位で管理され、ＣＤ−Ｒ１枚分に書き込む画像データ群が１オーダーとして扱われる。図３の画面には、注文ボタン４６が設けられており、これをクリックすることで注文内容を確定させることができ、画像データを含むオーダーデータがオーダーデータ保存部１１に保存される。
【００２７】
データ転送部１５は、オーダーデータ保存部１１に保存されている画像データを含むオーダーデータを写真処理装置２に転送する。転送するタイミングは任意であり、写真処理装置２からの転送要求に応じてデータを転送してもよいし、写真処理装置２の可動状況を監視しながら、受付端末１から適宜のタイミングでデータを転送してもよい。
【００２８】
次に、写真処理装置２の機能について説明する。オーダーデータ受付部２０は、受付端末１から転送されてきたオーダーデータを受信する。オーダーデータ保存部２１には、受信したオーダーデータが一時的に保存される。サムネイル画像データ作成部２２は、モニター２ａに表示させるべきサムネイル画像のデータを作成する。モニター２ａの表示画面の構成例は図４に示す。
【００２９】
このモニター２ａにおいても、受付端末１の画像表示部１ａと同じように、サムネイル画像５０が６枚ずつで表示される。オペレータは、この画面を見ながら各画像についてのチェックを行なう。すなわち、画像の色・濃度が適切か否かなどの画質に関するジャッジを行なう。画質が適切ではないと判断した場合には、補正パラメータ設定部２３の機能により補正パラメータの設定を行なう。具体的には、図３に示すように設定エリア５１が設けられており、色（Ｙ，Ｍ，Ｃの三色）と濃度（Ｄ）についての補正パラメータを設定することができる。また、表示エリア５２には、ＣＤ−Ｒに書き込む画像枚数が夫々の画像について表示されている。受付端末１においても、色・濃度の補正を行うことができるようにすることができるが、専門的な知識や経験も必要であるため、最終的には写真処理装置１のオペレータがジャッジできるようにすることが好ましい。
【００３０】
また、画像表示設定部２４は、モニター２ａに画像を表示させるか否かの設定を行う機能を提供する。具体的には、受付端末１で表示禁止の設定をされた画像については、モニター２ａに表示させないように設定する。図３の例では、符号４０Ａで示す画像は表示禁止に設定されたので、図４においては、斜線でつぶされた状態で表示されている。かかる表示を行うことで、表示禁止の設定が行われた画像が存在することをオペレータに認識させることができる。表示禁止の設定がされた画像に関しては、補正パラメータの設定が禁止される。
【００３１】
また、表示禁止の設定がされた画像のモニター２ａにおける表示態様は、図４の形態に限定されるものではなく、例えば、図５に示すようにダミーの画像を表示させることができる。ダミー画像を表示させるためのダミー画像データは、ダミー画像データ保存部２６に保存されている。ダミー画像を表示させることで、モニター２ａに自然な形で６枚の画像を表示させることができる。ダミー画像を表示させる場合も、同様に補正パラメータの設定ができないように構成し、ダミー画像が表示されていることをオペレータに認識させることが好ましい。ダミー画像については、予め、適当な画像データを保存させておくことができる。
【００３２】
その他の構成例としては、表示禁止を設定された画像に関しては、ダミー表示や斜線でつぶす表示も行わず、表示が可能な画像のみをモニター２ａに表示させるようにしてもよい。
【００３３】
プリント作成禁止部２５は、表示禁止が設定されているオーダーに関しては、写真プリントの作成処理ができないように写真処理装置２の状態を設定させる。これは、表示禁止されている画像をオペレータが写真プリントとして作成し、写真店側で見られることを防止するためである。これは、表示禁止が設定されている画像枚数に関係なく、１枚でも設定されていれば、写真プリントの作成が禁止される。
【００３４】
書き込み画像生成部２７は、ＣＤ−Ｒに書き込むべき画像データの生成を行う。受付端末１から転送されてきた画像データがそのまま使用されることもあるが、補正パラメータを設定した場合には、補正された画像データがＣＤ−Ｒに書き込まれる。生成された書き込み画像データは、ＣＤ−Ｒ書き込み装置２９に送信されて、ＣＤ−Ｒに画像データが書き込まれる。また、パスワードが設定されている場合には、そのパスワードも一緒に記録される。
【００３５】
またＣＤ−Ｒの表面には、ラベル画像を印刷するようにしており、ラベル画像を印刷するためのラベルデータがラベルデータ作成部２８により作成される。このラベルデータは、ＣＤ−Ｒに記録される画像データのサムネイル画像が印刷されるように構成され、サムネイル画像を印刷するためのサムネイル画像データは、サムネイル画像データ作成部２２により作成されたものが使用される。この場合、表示禁止が設定された画像データに関しては、サムネイル画像データを生成しないように設定されているため、ラベルには表示禁止が設定された画像以外のサムネイル画像が印刷される（図６参照）。これにより、サムネイル画像により表示禁止が設定された画像を写真店のオペレータに見られないようにすることができる。
【００３６】
＜動作＞
次に、ＣＤ−Ｒを作成するまでの手順を図７のフローチャートにより説明する。まず、写真店を訪問した顧客は、持ってきた記録媒体を受付端末１の記録媒体装着部１ｂに装着する（Ｓ１）。次に、記録媒体に格納されている画像データを読み出して、画像表示部に表示させる（Ｓ２，Ｓ３）。顧客は、表示される画像を見ながら注文データの設定を行う（Ｓ４）。例えば、個々の画像について書き込みを行うか否かの設定、ＣＤ−Ｒの作成枚数などである。
【００３７】
次に、画像データの書き込みを行う画像について、写真処理装置２のモニター２ａに表示させるか否かの設定を行う（Ｓ５）。写真店のオペレータに見せたくない画像があれば、それを表示禁止に設定する（Ｓ６）。さらに、パスワードの設定を行うか否かについて判断し（Ｓ７）、設定を行う場合には、パスワードを入力する（Ｓ８）。パスワードの設定を行った場合は、ＣＤ−Ｒに記録された画像は、パスワードの入力をしなければ閲覧することができないので、写真店による検品作業は行なわれない。
【００３８】
注文データなどの全ての設定作業が終了すると、注文確定処理を行う（Ｓ９）。これにより、画像データを含むオーダーデータがオーダーデータ保存部１１に保存される（Ｓ１０）。このオーダーデータは、適宜のタイミングで写真処理装置２に転送される（Ｓ１１）。写真処理装置２のモニター２ａには、注文にかかる画像が表示される（Ｓ１２）。ただし、表示禁止の設定をされている画像は、図４あるいは図５に示す表示態様で表示がされない。
【００３９】
オペレータによる画像の判定作業が終了すると（Ｓ１３）、画像データをＣＤ−Ｒに書き込む指令を行なう（Ｓ１４）。これにより、画像データに対して所定の画像処理が施されたのち、ＣＤ−Ｒ書き込み装置２９に画像データが転送され（Ｓ１５）、画像データがＣＤ−Ｒに書き込まれる（Ｓ１６）。また、ＣＤ−Ｒのラベルにサムネイル画像が印刷される（Ｓ１７）。ただし、表示禁止の設定をした画像については、サムネイル画像が印刷されない。
【００４０】
＜別実施形態＞
本実施形態においてパスワードを設定して画像を写真店にみられないように設定しているが、画像データそのものを暗号化処理してＣＤ−Ｒに書き込んでもよい。暗号化アルゴリズムは、適宜の方式のものを用いることができる。
【００４１】
ダミー画像を表示させる場合には、その画像の内容については、本実施形態の画像に限定されるものではなく、種々のダミー画像を用いることができる。また、ダミー画像がしようされていることをモニター２ａに表示させるようにしてもよい。
【図面の簡単な説明】
【００４２】
【図１】写真処理システムの全体構成を示す概念図
【図２】写真処理システムの機能を示すブロック図
【図３】受付端末の画像表示部の画面構成例を示す図
【図４】写真処理装置のモニター画面の画面構成例を示す図
【図５】写真処理装置のモニター画面の画面構成例を示す図
【図６】ＣＤ−Ｒのラベル印刷例を示す図
【図７】ＣＤ−Ｒを作成するまでの手順を示すフローチャート
【符号の説明】
【００４３】
１        受付端末
１ａ      画像表示部
２        写真処理装置
２ａ      モニター
１０      画像データ保存部
１３      表示可否設定部
１４      パスワード設定部
２２      サムネイル画像データ作成部
２３      補正パラメータ設定部
２４      画像表示設定部
２５      プリント作成禁止部
２６      ダミー画像データ保存部
２７      書き込み画像生成部
２８      ラベルデータ作成部
２９      ＣＤ−Ｒ書き込み装置
【図１】
2007329799.tif 000003
【図２】
2007329799.tif 000004
【図３】
2007329799.tif 000005
【図４】
2007329799.tif 000006
【図５】
2007329799.tif 000007
【図６】
2007329799.tif 000008
【図７】
2007329799.tif 000009